(57)【要約】【課題】力を要せず、チューブ容器から内容物の残存を一層少なくすることができるチューブ容器の絞り器を提供する。【解決手段】開口を備えた保持部を連設した左把持部と、前記開口に挿抜されるビンを立設した押圧部を連設した右把持部と、前記左右把持部を交差させ回動可能に接続する連結部と、からなり、チューブ容器の頭部を前記保持部の開口に挿入し、前記左右把持部を握ることで、前記ピンが前記チューブ容器の肩部の背面側から胴部に穴を穿設すると共に前記チューブ容器の頭部に挿入され、前記頭部に残存した内容物を前記チューブ容器の注出口から絞り出すことを特徴とするチューブ容器の絞り器の構成とした。【選択図】図１
2014008967.tif 000002
【特許請求の範囲】
【請求項１】
開口を備えた保持部を連設した左把持部と、前記開口に挿抜されるビンを立設した押圧部を連設した右把持部と、前記左右把持部を交差させ回動可能に接続する連結部と、からなり、
チューブ容器の頭部を前記保持部の開口に挿入し、前記左右把持部を握ることで、前記ピンが前記チューブ容器の肩部の背面側から胴部に穴を穿設すると共に前記チューブ容器の頭部に挿入され、前記頭部に残存した内容物を前記チューブ容器の注出口から絞り出すことを特徴とするチューブ容器の絞り器。
【請求項２】
前記ピンの先端部は、先端に向けテーパー状であることを特徴とする請求項１に記載のチューブ容器の絞り器。
【発明の詳細な説明】
【技術分野】
【０００１】
本発明は、チューブ容器に充填され、注出口付近に残存した内容物を絞り出すチューブ容器の絞り器に関する。
【背景技術】
【０００２】
チューブ容器１０は、図１２（Ａ）に示すように、内容物１１が充填される胴部１０ａと、胴部１０ａに連設するとともに硬質でテーパー状の肩部１０ｂと、肩部１０ｂに連設され外周にキャップ１０ｆを係止するネジ部１０ｅ或いは係止部を備える頭部１０ｃとからなり、頭部１０ｃ端部に開口し胴部１０ａ内部まで連通する注出口１０ｄを備える。
【０００３】
チューブ容器２０には、食品、化粧品、美容品、ヘアー用品、例えばカラーリング剤、歯磨き粉などが充填されている。使用者が、内容物１１を絞り出すには胴部１０ａを指などで押圧する。また、内容物１１の注出終盤になると端部１０ｇを丸めるなどして、内容物１１を使い切ろうとする。
【０００４】
しかしながら、図１２（Ｂ）のチューブ容器１０断面に示すように、内容物１１は、頭部１０ｃに残存し、使い切ることはできない。内容物１１が高価で、多数本使用する場合
には、ロス、損失が大きい。
【０００５】
そのため、チューブ容器１０の注出口１０ｄ付近に残存した内容物１１を絞り出す絞り器として、特許文献１のチューブ絞り器が公開されている。
【０００６】
特許文献１のチューブ絞り器は、最終使用段階にあるチューブ容器の頭部内に残っている内容物を、無駄にすることなく容易に使用することをできるようにするため、板状の挟持板２０と挟持板３０とは、その一端に設けられているヒンジ部４０によって開閉自在に構成されており、挟持板２０にはチューブ容器の注出口が挿通可能な挿入口２１とチューブ容器の肩部が嵌合可能な凹部２２とが設けられており、挟持板３０には挿入口２１および凹部２２によって形成される空間と略同形状で、この空間に埋没可能な大きさの突起部３１が設けられているというものである。
【０００７】
しかしながら、特許文献１の発明は、図１３に示すように、注出口２を後側から押圧するだけで、依然ネジ部内に内容物が残存してしまう。また、板状の挟持板２０と挟持板３０とが、その一端に設けられているヒンジ部４０によって開閉自在に構成されているため、チューブ容器１０の肩部１０ｂを押圧する力は手の握力による。充分に力が入らず、充分にネジ部に突起部３１を押圧することはできない。チューブ容器は、ビニール製のものさらには金属薄製のものもあり、押圧には大きな力が必要である。
【先行技術文献】
【特許文献】
【０００８】
【特許文献１】特開２０１０−２２８７７１号公報
【発明の概要】
【発明が解決しようとする課題】
【０００９】
そこで、本発明は、力を要せず、チューブ容器から内容物の残存を一層少なくすることができるチューブ容器の絞り器を提供することを目的とする。
【課題を解決するための手段】
【００１０】
本発明は、上記課題を解決するため、
（１）
開口を備えた保持部を連設した左把持部と、前記開口に挿抜されるビンを立設した押圧部を連設した右把持部と、前記左右把持部を交差させ回動可能に接続する連結部と、からなり、
チューブ容器の頭部を前記保持部の開口に挿入し、前記左右把持部を握ることで、前記ピンが前記チューブ容器の肩部の背面側から胴部に穴を穿設すると共に前記チューブ容器の頭部に挿入され、前記頭部に残存した内容物を前記チューブ容器の注出口から絞り出すことを特徴とするチューブ容器の絞り器の構成とした。
（２）
前記ピンの先端部は、先端に向けテーパー状であることを特徴とする（１）に記載のチューブ容器の絞り器の構成とした。
【発明の効果】
【００１１】
本発明は、左右把持部が交差するよう回動可能に接続しているため、左右把持部を握ることで、梃子の原理を利用することができるため大きな力を要せず、押圧部でチューブ容器の胴部に穴を穿設することができるとともに、押圧部のビンがチューブ容器の頭部に挿入されるため、内容物の一層絞り出すことができ、内容物の残存量を少なくすることができる。
【００１２】
また、ピンを先端に向けテーパー状とした鋭利な先端部を備えることで、チューブ容器の胴部に穴を一層開けやすくなる。
【図面の簡単な説明】
【００１３】
【図１】本発明であるチューブ容器の絞り器の１の実施形態の底面方向からの斜視図である。
【図２】本発明であるチューブ容器の絞り器の左背面方向からの斜視図である。
【図３】本発明であるチューブ容器の絞り器の右背面方向からの斜視図である。
【図４】本発明であるチューブ容器の絞り器の正面図である。
【図５】本発明であるチューブ容器の絞り器の左側面図である。
【図６】本発明であるチューブ容器の絞り器の右側面図である。
【図７】本発明であるチューブ容器の絞り器の背面図である。
【図８】本発明であるチューブ容器の絞り器の平面図である。
【図９】本発明であるチューブ容器の絞り器の底面図である。
【図１０】本発明であるチューブ容器の絞り器の開口時の説明図である。
【図１１】本発明であるチューブ容器の絞り器の使用状態を示す図である。
【図１２】チューブ容器の説明図である。
【発明を実施するための形態】
【００１４】
以下、図面に基づき本発明について詳細に説明する。なお、本発明は実施例に限定されるものではない。
【実施例１】
【００１５】
図１〜図３に、本発明の実施形態の一例であるチューブ容器の絞り器１の斜視図を示した。また、図４〜図９に、保持部３と押圧部５が閉じているときの正面、左右側面、背面、平面、底面を示した。さらに、図１０に、保持部３と押圧部５が開いているときの正面図（Ａ）及び正面と平行な断面図（Ｂ）を示した。
【００１６】
チューブ容器の絞り器１は、左把持部２と、右把持部４と、連結部６とからなる。素材としては、金属が好ましく、化学安定製、コスト、軽量性の観点から、特にアルミニウムがこのましい。
【００１７】
左把持部２は、左把持部２より外側に連設する屈折部２ａを介して先端に保持部３を備える。
【００１８】
保持部３は、チューブ容器１０の肩部１０ｂを載置するＵ字状の左右突起３ｂ、３ｃからなり、左右突起３ｂ、３ｃに囲まれた部分が開口３ａとなる。開口３ａには、チューブ容器１０から内容物１１を絞り出すときチューブ容器１０の頭部１０ｃが挿入される。開口３ａは、左右突起３ｂ、３ｃの先端が連結され、円形の開口としてもよい。また、開口３ａの内側は切り欠き３ｄがあり、チューブ容器１０の肩部１０ｂのホールドを助ける。
【００１９】
右把持部４は、右把持部４より外側に連設する屈折部４ａを介して先端に押圧部５を備える。
【００２０】
押圧部５は、左右把持部２、４の回動に伴い挿抜されるピン５ｂが保持部３側に向け立設する。さらに、ピン５ｂが立設する位置はチューブ容器１０の肩部１０ｂの形状に近しい形状に円錐台形に隆起したテーパー部５ａ上部の平坦部５ｄに立設するとよい。また、ピン５ｂの先端部５ｃは、先端に向け鋭利なテーパー状とするとよい。先端部５ｃがテーパーであれば、チューブ容器１０の胴部１０ａに大きな力を要せず穴を穿設することができる。
【００２１】
左右把持部２、４は、屈折部２ａ、４ａの位置で、交差させ回動可能に連結部６で接続する。連結部６は、例えば、図示しているように、左右把持部２、４の屈折部２ａ、２ｂに穴を穿設し、ネジ６ａを通し、ネジ６ａをナット６ｂで固定する。ナット６ｂ内のネジ切り部分の長さを調節することで、左右把持部２、４の適度の回転を確保しつつ、ネジ６ａの脱落を防ぐことができる。常法によりワッシャー６ｃを用いるとよい。
【００２２】
左右の屈折部２ａ、２ｂは、左右把持部２、４を手で握り易くするため、左右把持部２、４を正面に平行な略縦断面上に位置させるために屈折させている。左右屈折部２ａ、４ａの屈折位置は、保持部３、押圧部５を閉じたとき接する位置にくる。その結果、屈折部分が、左右把持部２、４の回動のストッパ２ｂ、４ｂともなる。なお、左右把持部２、４には、ラバーなどの滑り留めを嵌めてもよい。また、左右把持部２、４の形状は、手で握り易い形状に適宜変更することができる。
【００２３】
次に、図１１を参照して、チューブ容器の絞り器１で、チューブ容器１０の肩部１０ｂ及び頭部１０ｃに残存した内容物１１の絞り出し方法を説明する。
【００２４】
先ず、図１１（Ａ）に示すように、左右把持部２、４を操作して保持部３及び押圧部５を開く。そして、保持部３の押圧部５側の面にチューブ容器１０の肩部１０ｂを載置するとともに、頭部１０ｃを開口に挿入する。
【００２５】
次に図１１１（Ａ）に示すように、左右把持部２、４を手で強く握り、左右把持部２、４を近づける（図１１白抜き矢印）とともに、押圧部５を保持部３側に近づけ、ピン５ｂでチューブ容器１０の胴部１０ａに突き刺さし、さらに左右把持部２、４を握り進め、ピン５ｂを頭部１０ｃに深く挿入させる。すると、図１１（Ｂ）のようになる。
【００２６】
結果的に、テーパー部５ａで肩部１０ｂの内容物１１を注出口１１ｄ方向に押し出し、ピン５ｂが頭部１０ｃに深く刺さり、頭部１０ｃから内容物１１を絞り出すことができることになる。
【符号の説明】
【００２７】
１      チューブ容器の絞り器
２      左把持部
２ａ    屈折部
２ｂ    ストッパ
３      保持部
３ａ    開口
３ｂ    右突起
３ｃ    左突起
３ｄ    切り欠き
４      右把持部
４ａ    屈折部
４ｂ    ストッパ
５      押圧部
５ａ    テーパー部
５ｂ    ピン
５ｃ    先端部
５ｄ    平坦部
６      連結部
６ａ    ネジ
６ｂ    ナット
６ｃ    ワッシャー
１０    チューブ容器
１０ａ  胴部
１０ｂ  肩部
１０ｃ  頭部
１０ｄ  注出口
１０ｅ  ネジ部
１０ｆ  キャップ
１０ｇ  端部
１１    内容物
【図１】
2014008967.tif 000003
【図２】
2014008967.tif 000004
【図３】
2014008967.tif 000005
【図４】
2014008967.tif 000006
【図５】
2014008967.tif 000007
【図６】
2014008967.tif 000008
【図７】
2014008967.tif 000009
【図８】
2014008967.tif 000010
【図９】
2014008967.tif 000011
【図１０】
2014008967.tif 000012
【図１１】
2014008967.tif 000013
【図１２】
2014008967.tif 000014